【手続補正書】
【提出日】平成16年11月17日(2004.11.17)
【手続補正１】
【補正対象書類名】明細書
【補正対象項目名】００１９
【補正方法】変更
【補正の内容】
【００１９】
次に、「アドレス期間」では、マトリックスの選択により表示すべき放電セルのみを選択的に放電させて、その放電セルに「アドレス放電」を形成する。具体的には、図１３に示すように、まず、行電極Ｘiに順次にスキャンパルスＶｘｇを印加していき、点灯すべき放電セルにおいては列電極Ｗjに画像データに基づく電圧パルスＶｗＤを印加することによって、列電極Ｗjと行電極Ｘiとの間で「書き込み放電」を発生させる。なお、アドレス期間中、行電極Ｙには副走査パルスＶｙｓｃを印加する。このとき、行電極Ｘiと行電極Ｙiとの間には電位差（Ｖｘｇ＋Ｖｙｓｃ）が印加される。この電位差（Ｖｘｇ＋Ｖｙｓｃ）は、それ自身では放電を開始しないが、先の書き込み放電をトリガにして直ちに行電極Ｘi，Ｙi間に「書込み維持放電」を発生しうる（転移しうる）電位差である。かかるアドレス放電によって、既述のように、当該放電セルの誘電体層１０６Ａ（図１０参照）の表面上に、後の維持パルスＶｓの印加のみで維持放電を行うことが可能な量の正又は負の壁電荷が蓄積する。
【手続補正２】
【補正対象書類名】明細書
【補正対象項目名】００５３
【補正方法】変更
【補正の内容】
【００５３】
電極Ｘi，Ｗj間の書込み放電に引き続いて、当該書込み放電をトリガとして行電極Ｘiと左側用行電極ＹＬiとの間に「書込み維持放電」が発生する。かかる書込み放電から書込み維持放電への転移も電極対Ｘi，ＹＬi間の電位差に依存する。左側用行電極ＹＬiに印加されている副走査パルスＶａｙ１＝６０Ｖのとき、電極対Ｘi，ＹＬi間の電位差は２４０Ｖ（＝６０Ｖ−（−１８０Ｖ））であるため、上記放電の転移を十分に生じさせることができる。これに対して、右側用行電極ＹＲiは接地電位であるため、電位差１８０Ｖが印加されている電極対Ｘi，ＹＲi間では上記放電の転移は起こらない。
【手続補正３】
【補正対象書類名】明細書
【補正対象項目名】００７２
【補正方法】変更
【補正の内容】
【００７２】
なお、行電極Ｘ1〜Ｘn用の駆動回路１６，１７を１カ所に、例えばＡＣ−ＰＤＰ６１の左側に配置しても良い。但し、行電極Ｘ1〜Ｘnの駆動回路１６，１７を一カ所に、例えばＡＣ−ＰＤＰ６１の左側に集中して配置すると、ＡＣ−ＰＤＰ６１の左側の設置スペースの実装密度が高くなってしまう。このため、図１に示すように、プラズマディスプレイ装置６０では、行電極Ｘ1〜Ｘn用の駆動回路を分割した上で、それぞれをＡＣ−ＰＤＰ６１の左右に配置している。
【手続補正４】
【補正対象書類名】明細書
【補正対象項目名】００８３
【補正方法】変更
【補正の内容】
【００８３】
詳細には、ＡＣ−ＰＤＰ１０１と同様に、背面ガラス基板１０３の放電空間１１１側の表面上に列電極Ｗ1〜Ｗm（図１０中の列電極１０８に相当）が、当該表面に平行な第１方向Ｄ１に沿って延在しつつ、第１方向Ｄ１と当該表面内で直交する第２方向Ｄ２において等ピッチで配置されている。ここで、第１及び第２方向Ｄ１，Ｄ２はそれぞれＡＣ−ＰＤＰ７１の表示画面における縦方向及び横方向とする。また、隔壁１０は、図１０中の隔壁１１０と同様に、第１方向Ｄ１に沿ってストライプ状に配置されている。そして、背面ガラス基板１０３の上記表面及び隣接する隔壁１０の対面する両側壁面で以て規定されるＵ字型溝には、当該Ｕ字型溝単位で、各発光色用の蛍光体層１０９Ｒ，１０９Ｇ，１０９Ｂのいずれかの蛍光体層が配置されている。なお、列電極Ｗ1〜Ｗmを覆うように背面ガラス基板１０３の上記表面上に誘電体層を設けて、当該誘電体層上に隔壁１０及び蛍光体層１０９が配置しても良い。
【手続補正５】
【補正対象書類名】明細書
【補正対象項目名】００８４
【補正方法】変更
【補正の内容】
【００８４】
他方、前面ガラス基板１０２において、行電極Ｘi，Ｙiは、当該基板１０２の放電空間１１１側の表面上に第２方向Ｄ２に沿って延びる帯状の母電極Ｘｂi，Ｙｂiと、それぞれの一端が母電極Ｘｂi，Ｙｂiの所定の位置（後述する）に接続されたｍ個の例えば四角形の透明電極Ｘｔ，Ｙｔ（特に必要な場合には「透明電極Ｘｔi，Ｙｔi」のように添え字ｉを付して、母電極Ｘｂi，Ｙｂiとの帰属関係を明らかにする）とから成る。このとき、それぞれｎ本の母電極Ｘｂ1〜Ｘｂn，Ｙｂ1〜Ｙｂnは互いに平行に且つ第１方向Ｄ１に関して等ピッチで交互に配置されている。母電極Ｘｂi，Ｙｂiは、透明電極Ｘｔ，Ｙｔよりもインピーダンスが低いことが望ましい。なお、図４及び図５では、透明電極Ｘｔ，Ｙｔが前面ガラス基板１０２の放電空間側の表面上に配置され、当該透明電極Ｘｔi，Ｙｔiの端部を覆うように母電極Ｘｂi，Ｙｂiが上記表面上に配置された構造を図示しているが、両電極の積層順序が逆の構造であっても構わない。
【手続補正６】
【補正対象書類名】明細書
【補正対象項目名】００８７
【補正方法】変更
【補正の内容】
【００８７】
透明電極Ｘｔiのそれぞれは、その一端が母電極Ｘｂiに接続されると共に、当該母電極Ｘｂiを挟んで第１方向Ｄ１に隣接する２つの単位領域ＡＲの内の一方の領域内に張り出している。しかも、当該ｍ個の透明電極Ｘｔのそれぞれは第１方向Ｄ１に対して互い違いの方向に張り出して形成されている。即ち、隣接する透明電極Ｘｔは同一へは側の張り出すことなく形成されている。同様に、透明電極Ｙｔiを成すｍ個の透明電極Ｙｔのそれぞれは、その一端が母電極Ｙｂiに接続されると共に、その張り出し方向が第１方向Ｄ１に対して互い違いになるように単位領域ＡＲ内に張り出した形状を有する。特に、図５に示すように、透明電極Ｘｔ及び透明電極Ｙｔの各張り出した側のエッジは同一の単位領域ＡＲ内において所定の間隙（後述のように、放電ギャップに該当）ＤＧを介して互いに対峙している。なお、対峙する透明電極Ｘｔ，Ｙｔ間の間隔（又は距離）を「（間隙ＤＧの）間隔（又は距離）ｄｇｌ」と呼び、同透明電極Ｘｔ，Ｙｔの各エッジの対峙する部分の長さを「間隙ＤＧの幅（又は長さ）ｄｇｗ」と呼ぶことにする。これに対して、隣接する２本の母電極の対峙する各エッジ間の間隙（後述のように、非放電ギャップに該当）を「間隙ＮＧ」と呼ぶと共に、当該両エッジ間の間隔（又は距離）を「（間隙ＮＧの）間隔（又は距離）ｎｇｌ」と呼ぶことにする。
【手続補正７】
【補正対象書類名】明細書
【補正対象項目名】００９７
【補正方法】変更
【補正の内容】
【００９７】
列電極ＷＷ1〜ＷＷm/2のそれぞれを駆動ＩＣ１８２の所定の１つの出力端子に接続することによって、ＡＣ−ＰＤＰ７２を、ＡＣ−ＰＤＰ７１と同様の駆動方法によって駆動可能である。このとき、隔壁１０を挟んで隣接する２つの放電空間１１１にまたがって列電極ＷＷ1〜ＷＷm/2のそれぞれが配置されていても、ＡＣ−ＰＤＰ７２では第１及び第２方向Ｄ１，Ｄ２に沿って放電セルＣと非放電セルＮＣとが交互に配置されているので、誤放電を発生させることなくＡＣ−ＰＤＰ７２を駆動することができる。
【手続補正８】
【補正対象書類名】明細書
【補正対象項目名】００９９
【補正方法】変更
【補正の内容】
【００９９】
＜その他の変形例＞
上述の実施の形態１及び２に係る各駆動方法は、ＡＣ−ＰＤＰ６１，７１，７２以外に、従来のＡＣ−ＰＤＰ２０１（図１１及び図１２参照）にも適用可能である。即ち、共通の電圧が供給される複数の放電セルＣのそれぞれにおける放電を、個々の放電セルＣに対して独立して供給される電圧（電位差）によって制御可能なＡＣ−ＰＤＰは、上述の各駆動方法により駆動することができる。
【手続補正９】
【補正対象書類名】図面
【補正対象項目名】図５
【補正方法】変更
【補正の内容】
【図５】
2000298451.tif 000001
【手続補正１０】
【補正対象書類名】図面
【補正対象項目名】図８
【補正方法】変更
【補正の内容】
【図８】
2000298451.tif 000002